(57)【要約】      （修正有）【課題】レンズユニットなどの外付け装置を装着した際に、当該外付け装置の不具合などの異常を作業者が直ちに知ることができる撮像装置を提供する。【解決手段】表示部が備えられていない監視カメラ１００のカメラ本体１０１に交換レンズ１０２が装着される。カメラ制御部１１２は、カメラ本体に交換レンズを装着する際に、交換レンズの状態を検知して、その検知結果に応じてカメラ本体に備えられたデバイスを駆動制御して、交換レンズの状態を作業者に報知する。【選択図】図１
2017212576.tif 000002
【特許請求の範囲】
【請求項１】
撮像装置本体に外付け装置が装着される撮像装置であって、
前記撮像装置本体には表示部が備えられておらず、
前記撮像装置本体に前記外付け装置を装着する際に、前記外付け装置の状態を検知する検知手段と、
前記検知手段による検知結果に応じて、前記撮像装置本体に備えられたデバイスを駆動制御して、前記外付け装置の状態を報知する制御手段と、
を有することを特徴とする撮像装置。
【請求項２】
前記制御手段は、前記外付け装置が異常状態であると、前記撮像装置本体に備えられたデバイスを駆動制御することを特徴とする請求項１に記載の撮像装置。
【請求項３】
前記制御手段は、前記外付け装置が異常状態である場合に、当該異常状態の内容に応じて駆動制御する前記撮像装置本体に備えられたデバイスを変更することを特徴とする請求項２に記載の撮像装置。
【請求項４】
撮像装置本体に外付け装置が装着される撮像装置であって、
前記撮像装置本体には表示部が備えられておらず、
前記撮像装置本体に前記外付け装置を装着する際に、前記外付け装置の状態を検知する検知手段と、
前記検知手段による検知結果に応じて、前記撮像装置本体に接続されたデバイスを駆動制御して、前記外付け装置の状態を報知する制御手段と、
を有することを特徴とする撮像装置。
【請求項５】
前記撮像装置本体に接続されたデバイスは音響を発するスピーカーユニットであり、
前記制御手段は、前記検知手段による検知結果に応じて、前記スピーカーユニットから音響を出力することを特徴とする請求項４に記載の撮像装置。
【請求項６】
前記制御手段は、前記外付け装置が異常状態であると、前記スピーカーユニットから音響を出力することを特徴とする請求項５に記載の撮像装置。
【請求項７】
前記制御手段は、前記外付け装置が異常状態である場合に、当該異常状態の内容に応じて前記スピーカーユニットから出力する音響を変更することを特徴とする請求項７に記載の撮像装置。
【請求項８】
前記外付け装置は、前記撮像装置本体に接続されたデバイスであり、パン方向及びチルト方向に駆動可能な雲台に搭載されており、
前記制御手段は、前記外付け装置が異常状態であると、前記雲台を駆動制御することを特徴とする請求項４に記載の撮像装置。
【請求項９】
前記外付け装置は、前記撮像装置本体に着脱可能な交換レンズであることを特徴とする請求項１乃至８のいずれか１項に記載の撮像装置。
【請求項１０】
前記撮像装置はネットワークを介してクライアント装置に接続されており、
前記制御手段は、前記外付け装置の状態を報知した後、前記外付け装置の状態を前記クライアント装置に配信することを特徴とする請求項１乃至９のいずれか１項に記載の撮像装置。
【請求項１１】
撮像装置本体に外付け装置が装着され、表示部が備えられない撮像装置の制御方法であって、
前記撮像装置本体に前記外付け装置を装着する際に、前記外付け装置の状態を検知する検知ステップと、
前記検知ステップによる検知結果に応じて、前記撮像装置本体に備えられたデバイスを駆動制御して、前記外付け装置の状態を報知する制御ステップと、
を有することを特徴とする制御方法。
【請求項１２】
撮像装置本体に外付け装置が装着され、表示部が備えられない撮像装置で用いられる制御プログラムであって、
前記撮像装置が備えるコンピュータに、
前記撮像装置本体に前記外付け装置を装着する際に、前記外付け装置の状態を検知する検知ステップと、
前記検知ステップによる検知結果に応じて、前記撮像装置本体に備えられたデバイスを駆動制御して、前記外付け装置の状態を報知する制御ステップと、
を実行させることを特徴とする制御プログラム。
【発明の詳細な説明】
【技術分野】
【０００１】
本発明は、レンズユニットなどの外付け装置が交換可能な撮像装置、その制御方法、および制御プログラムに関する。
【背景技術】
【０００２】
一般に、撮像装置の１つとして、ネットワークを介してクライアント装置などの外部機器に接続されたネットワークカメラ（監視カメラ）が知られている。このネットワークカメラはデジタルビデオカメラ（以下単にデジタルカメラと呼ぶ）などの撮像装置と異なり、ＬＣＤなどの表示部を備えていない。
【０００３】
レンズユニットなどの外付け装置が交換可能なデジタルカメラでは、外付け装置を交換装着した際、外付け装置に不具合があると、その旨が表示部に表示される。一方、外付け装置が交換可能なネットワークカメラでは、外付け装置に不具合があっても表示部が備えられていないので作業者はその不具合を直ちに知ることができない。
【０００４】
例えば、レンズ動作不具合があった場合には、外部機器からレンズ動作コマンドを送信したもののレンズユニットが動作しない場合に初めてレンズ不具合に気づく。作業者が直ぐにレンズ動作不具合に気づくことができれば、レンズユニットの交換又は装着のやり直しをその場で行うことができ、極めて便利である。
【０００５】
ところで、レンズユニットが交換可能なデジタルカメラにおいて、レンズ通信エラーをカメラ起動時に検出した場合とカメラ起動後に検出した場合とで表示部に表示するエラーメッセージを変えるようにしたものがある（特許文献１参照）。
【先行技術文献】
【特許文献】
【０００６】
【特許文献１】特開２００９−２６０９４９号公報
【発明の概要】
【発明が解決しようとする課題】
【０００７】
ところが、特許文献１に記載のデジタルカメラにおいては、エラーメッセージを表示するためにＬＣＤなどの表示部が必要となる。一方、ネットワークカメラに表示部が備えられていたとする。この場合に、ネットワークカメラを起動した後に、所定の時間経過するとエラーメッセージを表示部に表示しても、作業者がネットワークカメラの近傍にいないとエラーメッセージを知ることができない。つまり、外付け装置が交換可能なネットワークカメラにおいては、外付け装置を装着した際に外付け装置に不具合があっても直ちにその不具合を知ることが難しいという問題点がある。
【０００８】
そこで、本発明の目的は、レンズユニットなどの外付け装置を装着した際に、当該外付け装置の不具合などの異常を直ちに知ることができる撮像装置を提供することにある。
【課題を解決するための手段】
【０００９】
上記の目的を達成するため、本発明による撮像装置は、撮像装置本体に外付け装置が装着される撮像装置であって、前記撮像装置本体には表示部が備えられておらず、前記撮像装置本体に前記外付け装置を装着する際に、前記外付け装置の状態を検知する検知手段と、前記検知手段による検知結果に応じて、前記撮像装置本体に備えられたデバイスを駆動制御して、前記外付け装置の状態を報知する制御手段と、を有することを特徴とする。
【発明の効果】
【００１０】
本発明によれば、レンズユニットなどの外付け装置を装着した際に、当該外付け装置の不具合などの異常を直ちに知ることができる。
【図面の簡単な説明】
【００１１】
【図１】本発明の第１の実施形態による撮像装置の一例についてその構成を示すブロック図である。
【図２】図１に示す監視カメラの動作を説明するためのフローチャートである。
【図３】本発明の第２の実施形態による監視カメラの一例についてその構成を示すブロック図である。
【図４】本発明の第３の実施形態による監視カメラの一例についてその構成を示すブロック図である。
【発明を実施するための形態】
【００１２】
以下に、本発明の実施の形態による撮像装置の一例について図面を参照して説明する。
【００１３】
［第１の実施形態］
図１は、本発明の第１の実施形態による撮像装置の一例についてその構成を示すブロック図である。
【００１４】
図示の撮像装置は、例えば、ネットワークを介してクライアント装置などの外部機器に接続されたネットワークカメラ（以下監視カメラと呼ぶ）１００である。この監視カメラ１００にはＬＣＤなどの表示部が備えられていない。また、この監視カメラ１００はレンズユニットなどの外付け装置が交換可能である。以下、外付け装置としてレンズユニットを例に挙げて説明する。
【００１５】
監視カメラ１００はカメラ本体（撮像装置本体）１０１と、当該カメラ本体１０１に着脱可能なレンズユニットである交換レンズ１０２とを備えている。そして、交換レンズ１０２はマウント１０３を介してカメラ本体１０１に装着される。このマウント１０３はカメラ本体１０１から交換レンズ１０２に電源を供給する電気的接点を備え、さらにカメラ本体１０１と交換レンズ１０２との間で相互に通信を行うための電気的接点を備えている。なお、マウント１０３は、カメラ本体１０１が有する部分と交換レンズ１０２が有する部分とに分かれるが、図１においては便宜上纏めて図示されている。
【００１６】
カメラ本体１０１には撮像ユニット１２３が備えられており、交換レンズ１０２から入射した光学像は、シャッター１２０および赤外カットフィルタ１２１を介して撮像ユニット１２３に結像する。
【００１７】
シャッター１２０は、カメラ制御部１１２の制御下で撮像の際に開かれ、撮像を行わない場合には撮像ユニット１２３に対する光を遮光する。赤外カットフィルタ１２１は赤外領域の波長をカットするためのフィルタであって、日中など光量が多く被写体の輝度が高い場合に撮像ユニット素子１０４前面に挿入される。また、赤外カットフィルタ１２１は夜間など光量が少なく被写体の輝度が低い場合には光路から抜去される。
【００１８】
撮像ユニット１２３はＣＣＤ又はＣＭＯＳセンサなどの撮像素子１０４、圧電素子１２２、および光学部材１２４を有している。圧電素子１２２は撮像ユニット１２３のクリーニングのためのものであり、圧電素子１２２の振動によって光学部材１２４の表面に付着したごみを振るい落とすができる。
【００１９】
撮像素子１０４は、交換レンズ１０２を介して結像した光学像（被写体像）に応じた画像信号（映像信号ともいう）を出力する。映像信号処理部１０５は、撮像素子１０４の出力である映像信号に対して、ノイズ除去、ゲイン調整、Ａ／Ｄ変換、色変換処理、ガンマ補正、および画素間補完処理などの所定の画像処理を行う。そして、映像信号処理部１０５は画像データ（映像データともいう）を出力する。
【００２０】
ネットワーク処理部１０６は、映像信号処理部１０５の出力である映像データを圧縮・符号化して、圧縮・符号化映像データを出力する。そして、ネットワークインターフェース部１０７は、ネットワーク処理部１０６の出力である圧縮・符号化映像データを、ＬＡＮなどのネットワークを介してクライアント装置（外部機器）に配信する。
【００２１】
ファン１１０は、モータおよび羽根を有し、モータによって羽根を回転させてカメラ本板１０１内部の熱を循環させて放熱を行う。メモリ１１１は、例えば、半導体メモリであり、映像信号処理部１０５の処理バッファおよびカメラ制御部１１２で実行するプログラムを記憶するための記憶装置として用いられる。
【００２２】
カメラ制御部１１２は、マイクロコンピュータを備え、メモリ１１１に記憶されたプログラムを実行して、映像信号処理部１０５の制御および交換レンズ１０２との通信制御など監視カメラ１００全体を制御する。
【００２３】
照明用ＬＥＤ１３０は赤外ＬＥＤおよび白色ＬＥＤで構成されており、カメラ制御部１１２の制御下で必要に応じて撮像の際に照明を行う。電源表示用ＬＥＤ１３１は電源が投入された状態で発光する。
【００２４】
なお、図示の例では、交換レンズ１０２、マウント１０３、撮像ユニット１２３、シャッター１２０、赤外カットフィルタ１２１、映像信号処理部１０５、ネットワーク処理部１０６、およびネットワークインターフェース部１０７が撮像部を構成する。そして、パンチルト機構１４０は、カメラ制御部１１２の制御下で撮像部をパン方向およびチルト方向に回転可能に支持する。
【００２５】
交換レンズ１０２は、レンズ駆動部１１５、レンズ制御部１１６、撮像レンズ１１７、およびレンズ用メモリ１１８を備えている。レンズ駆動部１１５は、レンズ制御部１１６の制御下で撮像レンズ１１７を駆動する。例えば、レンズ駆動部１１５は撮像レンズ１１７に備えられたフォーカスレンズ、ズームレンズ、絞り、および防振レンズなどを移駆動する。
【００２６】
レンズ制御部１１６はマイクロコンピュータを備え、カメラ制御部１１２から送られた制御信号に応じてレンズ駆動部１１５を制御する。レンズ用メモリ１１８は、レンズ制御部１１６が用いる各種データを記憶するための記憶装置として用いられる。
【００２７】
図示の監視カメラ１００においては、電源が投入された後、後述するように、交換レンズ１０２の状態に応じて、カメラ制御部１１２はカメラ本体１０１を動作させる。カメラ本体１０１の動作には、例えば、次の動作がある。
【００２８】
カメラ制御部１１２は圧電素子１２２の振動および停止を行い、さらには、カメラ制御部１１２は圧電素子１２２の振動周波数を変化させる（以下第１の動作と呼ぶ）。
【００２９】
また、カメラ制御部１１２はシャッター１２０の開閉を行い、赤外カットフィルタ１２１の挿入および抜去を行う（以下第２の動作と呼ぶ）。さらに、カメラ制御部１１２はファン１１０の回転および停止を行い、回転の際の回転数を変化させる（以下第３の動作と呼ぶ）。加えて、カメラ制御部１１２はパンチルト機構１４０の動作および停止を行い、パンチルト機構１４０の動作速度を変化させる（以下第４の動作と呼ぶ）。また、カメラ制御部１１２は照明用ＬＥＤ１３０の点灯および消灯を行うか、照明用ＬＥＤ１３０を点滅させる（以下第５の動作と呼ぶ）。そして、カメラ制御部１１２は電源表示用ＬＥＤ１３１の点灯および消灯を行うか又は電源表示用ＬＥＤ１３１を点滅させてもよい（以下第６の動作と呼ぶ）。なお、カメラ制御部１１２による動作として少なくとも上述した第１〜第６の動作のうち１つが行われる。
【００３０】
上述のように、カメラ制御部１１２は動作音によって聴覚的にユーザー（作業者）に通知するか又は動きによって視覚的にユーザーに通知することになる。さらには、カメラ制御部１１２は発光によって視覚的にユーザーに通知するか又は振動によって触覚的にユーザーに通知するようにしてもよい。
【００３１】
なお、上記の通知は、交換レンズ１０２が正常状態である場合に行うようにしてもよく、異常状態である場合に行うようにしてもよい。そして、異常状態の内容によって動作内容を変更するようにしてもよい。
【００３２】
図２は、図１に示す監視カメラの動作を説明するためのフローチャートである。なお、図示のフローチャートに係る処理はカメラ制御部１１２の制御下で行われる。
【００３３】
いま、監視カメラ１００に電源が供給されると、カメラ制御部１１２が動作可能な状態となって、監視カメラ１００が起動する（ステップＳ２０１）。そして、カメラ制御部１１２は交換レンズ１０２がカメラ本体１０１に装着されているか否かを検知する（ステップＳ２０２）。
【００３４】
検知結果によって交換レンズ１０２が装着されている場合（ステップＳ２０２において、ＹＥＳ）、カメラ制御部１１２は交換レンズ１０２の故障などによって交換レンズ１０２に対する供給電源がショートしたか否かを判定する（ステップＳ２０３）。供給電源がショートしていないと（ステップＳ２０３において、ＮＯ）、カメラ制御部１１２は交換レンズ１０２の接点不良などによって交換レンズ１０２との通信エラーが発生したか否かを判定する（ステップＳ２０４）。
【００３５】
通信エラーが生じていないと（ステップＳ２０４において、ＮＯ）、カメラ制御部１１２は正常状態通知動作を実行する（ステップＳ２０５）。正常状態通知動作においては、カメラ制御部１１２は前述の第１〜第６の動作のうちクライアントによって予め設定された動作を行う。これによって、ユーザー（作業者）が交換レンズ１０２をカメラ本体１０１に装着するなどの作業を行っている場合に、カメラ本体１０１が正常状態通知動作を行えば、ユーザーは監視カメラ１００が正常であると判断することができる。
【００３６】
その後、カメラ制御部１１２は通常動作フローを行う。この通常動作フローは、例えば、通常動作フローにおいては、カメラ制御部１１２は監視カメラ１００を動作させて撮像を行い、その結果得られた映像データを、ネットワークを介してクライアント装置に配信する。なお、通信エラーが生じていない場合には（ステップＳ２０４において、ＮＯ）、カメラ制御部１１２はステップＳ２０５の処理を行うことなく、通常動作フローに進むようにしてもよい。
【００３７】
交換レンズ１０２がカメラ本体１０１に装着されていないと（ステップＳ２０２において、ＮＯ）、カメラ制御部１１２は第１の異常状態通知動作を行って、交換レンズ１０１が装着されていない旨をユーザーに通知（報知）する（ステップＳ２０６）。ここでは、カメラ制御部１１２は、上述の正常状態通知動作と異なる動作を行う。例えば、カメラ制御部１１２は、前述の第１の動作を行って交換レンズ１０２の異常状態（ここでは、交換レンズ１０２が装着されていない旨）をユーザーに通知する。その後、カメラ制御部１１２はステップＳ２０２の処理に戻る。
【００３８】
通信エラーが生じていると（ステップＳ２０４において、ＹＥＳ）、カメラ制御部１１２は第２の異常状態通知動作を行う（ステップＳ２０７）。ここでは、カメラ制御部１１２は、上述の正常状態通知動作と異なる動作を行う。例えば、カメラ制御部１１２は、前述の第１の動作を行って交換レンズ１０２の異常状態（ここでは、通信エラー）をユーザーに通知する。なお、ステップＳ２０７において行われる第２の異常状態通知動作は、正常状態通知動作および第１の異常状態通知動作と異なる動作であってもよい。
【００３９】
供給電源がショートしていると（ステップＳ２０３において、ＹＥＳ）、カメラ制御部１１２は第３の異常状態通知動作を行う（ステップＳ２０９）。ここでは、カメラ制御部１１２は、上述の正常状態通知動作と異なる動作を行う。例えば、カメラ制御部１１２は、前述の第１の動作を行って交換レンズ１０２の異常状態（ここでは、電源ショート）をユーザーに通知する。なお、ステップＳ２０９において行われる第３の異常状態通知動作は、正常状態通知動作、第１の異常状態通知動作、第２の異常状態通知動作と異なる動作であってもよい。
【００４０】
ステップＳ２０７又はＳ２０９の処理の後、カメラ制御部１１２は交換レンズ１０２の異常状態をクライアント装置に通知する（ステップＳ２０８）。そして、カメラ制御部１１２はカメラ動作処理を終了する。なお、ステップＳ２０８の処理の後、カメラ制御部１０２は監視カメラ１００の電源をオフとするようにしてもよい。
【００４１】
上述のように、本発明の第１の実施形態では、カメラ本体１０１に備えられたデバイスを動作させて、ユーザーに交換レンズの異常を知らせる。これによって、表示部を備えない監視カメラにおいても交換レンズの異常などをユーザーは直ちに知ることができる。
【００４２】
なお、上述の例では、外付け装置として交換レンズを例に挙げて説明したが、外付け装置として、ストロボ装置などの発光装置をカメラ本体に装着する際においても同様に適用することができる。
【００４３】
ところで、上述の例では、交換レンズ１０２の異常状態を、カメラ本体１０１に備えられたデバイスを動作させて通知した。一方、カメラ本体１０１に備えられたデバイスを動作させる代わりに、交換レンズ１０２に備えられたデバイスを動作されるようにしてもよい。
【００４４】
例えば、交換レンズ１０２が正常である場合又は異常である場合には、カメラ制御部１１２は交換レンズ１０２に備えられたフォーカスレンズの動作および停止を行い、さらには、フォーカスレンズを動作させる動作速度を変化させる。また、同様に、カメラ制御部１１２は交換レンズ１０２に備えられたズームレンズを駆動制御するようにしてもよい。さらには、カメラ制御部１１２は、交換レンズ１０２に備えられた絞り又は防振レンズを駆動制御するようにしてもよい。
【００４５】
［第２の実施形態］
続いて、本発明の第２の実施形態による監視カメラについて説明する。
【００４６】
図３は、本発明の第２の実施形態による監視カメラの一例についてその構成を示すブロック図である。なお、図示の監視カメラにおいて、図１に示す監視カメラと同一の構成要素については同一の参照番号を付す。
【００４７】
図示の監視カメラ１００においては、カメラ本体１０１には音声デジタルアナログ変換部３０１および音声ＩＦ３００が備えられている。そして、音声デジタルアナログ変換部３０１はカメラ制御部１１２に接続されている。
【００４８】
ユーザーは交換レンズ１０２をカメラ本体１０１に装着する際には、スピーカーユニット３１０を音声ＩＦ３００に接続する。後述するように、カメラ制御部１１２は音声データを音声デジタルアナログ変換部３０１でアナログ音声信号に変換して、音声ＩＦ３００を介してスピーカーユニット３１０に送る。
【００４９】
スピーカーユニット３１０はスピーカー３１１および増幅器３１２を有しており、増幅器３１２でアナログ音声信号を増幅した後、音声としてスピーカー３１１から出力する。なお、上述の音声データは予めメモリ１１１に格納するか又はネットワークを介して受信してメモリ１１１に格納される。
【００５０】
第２の実施形態おいて、カメラ動作処理は図２で示すフローチャートに応じて行われるが、交換レンズ１０２の状態に応じて、前述の正常状態通知動作又は第１〜第３の異常状態通知動作のいずれかが行われる。なお、正常状態通知動作を行う場合には（つまり、ステップＳ２０５の処理を行う場合には）、正常状態通知動作に係る音声データは第〜第３の異常状態通知動作とは異なる。また、第１〜第３の異常状態動作通知に係る音声データは同一であってもよく、互いに異ならせてもよい。さらには、音声データに限らず、ユーザーが認識可能であれば、電子音又は機械音などの音響であってもよい。
【００５１】
このように、本発明の第２の実施形態においても、表示部を備えない監視カメラにおいて交換レンズの異常などをユーザーは直ちに知ることができる。
【００５２】
［第３実施形態］
続いて、本発明の第３の実施形態による監視カメラについて説明する。
【００５３】
図４は、本発明の第３の実施形態による監視カメラの一例についてその構成を示すブロック図である。なお、図示の監視カメラにおいて、図１に示す監視カメラと同一の構成要素については同一の参照番号を付す。
【００５４】
図示の監視カメラ１００においては、カメラ本体１０１にはパンチルト機構１４０が備えられておらず、カメラ本体１０１には雲台４１１が接続される。この雲台４１１はパン方向およびチルト方向に駆動可能である。雲台４１１には雲台パンチルト駆動部４１２が備えられており、カメラ制御部１１２は交換レンズ１０２の状態に応じて雲台パンチルト駆動部４１２によって雲台４１１を駆動制御する。
【００５５】
図示の雲台４１１には、監視カメラ１００が搭載され、監視カメラ１００は雲台４１１によってパン方向およびチルト方向に駆動される。雲台４１１の駆動制御はカメラ制御部１１２によって行われる。
【００５６】
第３の実施形態おいて、カメラ動作処理は図２で示すフローチャートに応じて行われるが、交換レンズ１０２の状態に応じて、前述の第１〜第３の異常状態通知動作のいずれかが行われる。なお、第３の実施形態では、ステップＳ２０５の処理は行われず、第１〜第３の異常状態動作通知の際には、カメラ制御部１１２は雲台４１１を駆動して監視カメラ１００をパン方向およびチルト方向に動作させる。
【００５７】
このように、本発明の第３の実施形態においても、表示部を備えない監視カメラにおいて交換レンズの異常などをユーザーは直ちに知ることができる。
【００５８】
上述の説明から明らかなように、図１に示す例では、カメラ制御部１１２が検知手段および制御手段として機能する。
【００５９】
以上、本発明について実施の形態に基づいて説明したが、本発明は、これらの実施の形態に限定されるものではなく、この発明の要旨を逸脱しない範囲の様々な形態も本発明に含まれる。
【００６０】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００６１】
［その他の実施形態］
上述の実施形態の１以上の機能を実現するプログラムをネットワーク又は記憶媒体を介してシステム又は装置に供給する。そして、そのシステム又は装置のコンピュータにおける１つ以上のプロセッサーがプログラムを読出し実行する処理でも本発明は実現可能である。また、１以上の機能を実現する回路（例えば、ＡＳＩＣ）によっても実現可能である。
【符号の説明】
【００６２】
１０１  カメラ本体
１０２  交換レンズ
１１０  ファン
１１２  カメラ制御部
１２０  シャッター
１２１  赤外カットフィルタ
１２２  圧電素子
１３０  照明用ＬＥＤ
１３１  電源表示用ＬＥＤ
１４０  パンチルト機構
【図１】
2017212576.tif 000003
【図２】
2017212576.tif 000004
【図３】
2017212576.tif 000005
【図４】
2017212576.tif 000006